(57)【要約】本発明は、例えばコンピュータ連動断層撮影などの磁気共鳴の手段によって画像診断が行なわれる間に身体の一部を安定化するための安定化装置に関する。安定化装置は、サポート要素（１）の手段によって検査される身体の一部に対して押されるフレキシブルなＲＦコイル（６）を含んでいる。本発明による安定化装置は、第三者によって適用されなければならず、安定化されるべき身体の一部が適応されるように及び弾力的に従順であるようにサポート要素（１）が構成される際にベルトの手段によって頻繁に固定される通常の安定化装置とは明らかに異なり、コイル（６）は、サポート要素の弾性変形に従うような手法でサポート要素（１）に接続され、従って自己適応である。好ましくは、コイルは、お互いに独立して移動可能である複数のばね要素（３）を備えて提供されるサポート要素に接続される枕（２）に埋め込まれている。
2004516092.tif 000002
【特許請求の範囲】
【請求項１】
磁気共鳴の手段によって身体の一部で画像診断が行なわれる間に使用するための安定化装置であって、該装置はサポート要素及び前記サポート要素によって前記身体の一部に対して押される少なくとも一つのフレキシブルなＲＦコイルを含み、前記サポート要素は安定化されるべき前記身体の一部が適応されるために、及び同様に弾力的に従順であるように構成され、前記コイルは、前記サポート要素の弾性変形に従うような手法で前記サポート要素に接続されることを特徴とする安定化装置。
【請求項２】
前記コイルは枕に埋め込まれることを特徴とする請求項１に記載の安定化装置。
【請求項３】
前記枕は前記サポート要素から少なくとも部分的に突出し、本目的に十分である固有の安定性を有することを特徴とする請求項２に記載の安定化装置。
【請求項４】
前記サポート要素は安定化されるべき前記身体の一部の湾曲に適応されるばね要素を含むことを特徴とする請求項１乃至３の一に記載の安定化装置。
【請求項５】
前記ばね要素は、前記ばね要素の前記湾曲に対応する厳密な基本的な要素によって与えられたエリアで少なくともサポートされることを特徴とする請求項４に記載の安定化装置。
【請求項６】
複数の前記ばね要素はお互いに隣接して配置され、指状の構成を有し、前記ばね要素の一つの末端ごとに固定されて一方で、もう一つの末端は自由な弾力性を有し、他のばね要素から独立していることを特徴とする請求項４若しくは５に記載の安定化装置。
【請求項７】
前記コイルは、前記サポート要素によって着脱可能で入り込むことができる少なくとも一つの受取りポケットを含むスリーブに配置されることを特徴とする請求項１乃至６の一に記載の安定化装置。
【請求項８】
前記ばね要素の前記自由な末端が前記受取りポケットへ突き出ることを特徴とする請求項６及び７に記載の安定化装置。
【請求項９】
前記安定化装置はネックサポートとして構成されることを特徴とする請求項１乃至６の一に記載の安定化装置。
【発明の詳細な説明】
【０００１】
本発明は、請求項１の序章部分で開示されるような、特にコンピュータ連動断層撮影若しくは磁気共鳴断層撮影法などの磁気共鳴の手段によって身体の一部で画像診断が行なわれる間に使用するための安定化装置に関する。
【０００２】
身体の一部のコンピュータ連動断層撮影において、電磁場を形成するためにコイルを配置することが必要であり、すなわち、いわゆる、高周波、若しくはＲＦコイルは検査される身体の一部、及び関係のある身体の一部から短い一定の距離で、検査中に検体をできるだけ安定であるように維持するための安定化を要求する。したがって、米国特許出願番号５６１７０２７は、適所に定着され、身体及びコイルの一部のまわりで配置される真空枕の手段により安定化された後で、フレキシブルなコイルが、検査されるために身体の一部に対して押される場合の種類の安定化装置を開示している。所望の位置を得るために、まずコイルと続く枕は身体の一部に手動で適応され、空気が枕から出て行くまで、コイルが保持されるに違いない。安定はそのような退出の後にだけ保証される。このシステムは、コイル及び真空枕の適応操作並びに枕を空にすることは技術者によって実行されるべきで、比較的長時間を要するという欠点を有する。
【０００３】
また、フレキシブルなコイルが身体の一部の周りに配置され、キャッチ若しくはバックルを備えた固定するストラップの手段によって安定される、簡素なシステムが周知である。しかしながら、かかるシステムはまた当業者によって適応されるべきであり、患者は頻繁に不快感を感じる。特に頭若しくは首の領域の検査の場合、首周辺に適応できるキャッチを含むかかるストラップはかなり不快である。さらに、コイルのかかる固定は安定化作用を少しも有していない。
【０００４】
したがって、本発明の目的は、検査される身体の一部に対するコイルの迅速で信頼できる適応を可能にし、及び、同時に装置の適切な安定化を提供するような種類の安定化装置を提供することである。
【０００５】
この目的は請求項１の特徴部分に開示するような安定化装置の手段によって達成される。検査される身体の一部にその形が既に適応されるが、弾性力のあるサポート要素の使用の結果、及びコイルがサポート要素の形に常に従い、ともにそれと同時に変形されるような方法におけるこのサポート要素へのコイルの接続の結果、身体の一部が安定化装置へ導入される場合、コイルは、身体の一部に対して一様にしかし快適に自動的に押される、すなわち要求されるスタッフの援助なしで行なえる。
【０００６】
快適さを増大するため、コイルは、好ましくは平らな枕に埋め込まれる。この枕がサポート要素の側に下へ直接掛かっていることからこの枕を維持するためにそれ自身の十分な安定を保つ限り、この枕はサポート要素から少なくとも部分的に突出することができる。この種類の装置は、与えられた領域のみで安定化を必要とする身体の一部分において好ましく使用される。例えば、サポート要素は患者の首の領域に単に提供されて、一方でコイルを備える枕はまた首と肩との間の移行領域で存在し、枕自体はサポート要素から突出する領域で安定化作用を有しない（若しくはどんな場合においても極わずかである）ために、この領域はさらなる安定化を要求しない。
【０００７】
安定化装置のサポート要素は、特に有利に、安定化される身体の一部の弯曲及び型に適応されるばね要素を供給することができる。装置の弾力及び安定化作用の必要な強度は、ばね要素の回復力若しくは物質の選択によって調節される。
【０００８】
強い安定性が要求されるか、ばね要素のコンプライアンスさえ望まないサブ領域において、それらの要素は相応して形作られた厳密な基本的な要素によってサポートされる。
【０００９】
安定化される身体の一部に可能な限り個別で、さらに局地的に異なる適応を可能にするために、複数のばね要素をお互いに隣接して配置すること、及びばね要素の１つの末端ごとに固定されている一方で、他の端が自由に弾力のある、指としてそれらの要素を構成することは有用である。これは、特に高い度合いの快適さと組み合う安定化装置の自動で厳密な適応を提供する。
【００１０】
コイルを保護し、コイルとサポート要素との間の接続を達成するために、コイルは、好ましくはサポート要素により着脱式に入られる一つ以上の受取りポケットを備えて提供されるスリーブに収容される。このようにコイルはサポート要素から取り外し可能で、例えば、洗浄するために、コイルとサポート要素は互いから独立して交換することができる。コイルが既に記載されたような枕に埋め込まれている限り、枕はコイルと一緒にスリーブの中で好ましく配置される。
【００１１】
患者の首及び患者の頭がその装置上に配置される場合、直接起こる自動化の適応が、特に快適に経験され、一方でベルト、真空枕若しくは同様の手段による手動の適応及び固定が特に患者の首と頭周辺を悩ますために、本発明と一致する安定化装置は、ネックサポートを形成するために特に適している。
【００１２】
さらなる利点及び詳細は、従属項及び図で示される本発明の実施態様から明らかになるだろう。
【００１３】
図１及び２に示される安定化装置はネックサポートであり、サポート要素１とサポート要素に接続され、検査される患者の首と肩の間の移行領域でサポート要素１から突出する枕２から構成され、頭への移行近くの首の領域が、サポート要素の弾力的に従順なばね要素３によって安定化される一方で、枕は、この帯域で安定化効果を備えないで容易で柔軟に適応可能である。
【００１４】
装置の構成は、図２の断面図で著しく例証されている。フレキシブルな電磁気コイル６は、二つのフレキシブルな泡プレート４及び複数の泡パッド５からなる枕２に埋め込まれていることが分かる。枕２とコイル６はスリーブ７によって囲まれている。スリーブ７は、両側にポケット８を備えて提供され、ばね要素３は自由な末端３´´の手段によってポケットに挿入される。このように、コイル６とサポート要素１間の接続が達成され、枕及びコイルはばね要素の動作に常に従うことが保証される。
【００１５】
図３及び４はサポート要素１の構成を例証している。示されている実施態様は、６本の指状のばね要素３を備えて提供され、その指の一つの末端３´は固定されており、もう一方の末端３´´は自由な弾力性を有するように構成される。
【００１６】
ばね要素３をサポートし、少なくとも低部でばね要素の弾性移動を制限するために、ばね要素は本質的に厳密な基本的な要素９に付着されている。
【００１７】
示されている実施態様の基本的な要素９及びばね要素３は、好ましくはポリカーボネートからなり、一方で泡プレート４及び泡パッド５は、好ましくはポリエステルからなり、スリーブ７は特にポリウレタン箔からなる。
【００１８】
本発明と一致する安定化装置は検査される患者に対して高い度合いの快適さを提供し、完全に自己適用であり、その結果、この目的においてさらなるスタッフは必要とされない。
【図面の簡単な説明】
【図１】
本発明と一致する安定化装置の斜視図である。
【図２】
図１で示される装置の面ＩＩ−ＩＩで切り取られた断面図である。
【図３】
枕とコイルを備えない図１の装置のサポート要素を示す。
【図４】
図３の要素の線ＩＶ−ＩＶに沿って切り取った断面図である。
【国際公開パンフレット】
2004516092.tif 000003
2004516092.tif 000004
2004516092.tif 000005
2004516092.tif 000006
2004516092.tif 000007
2004516092.tif 000008
2004516092.tif 000009
2004516092.tif 000010
2004516092.tif 000011
【国際調査報告】
2004516092.tif 000012
2004516092.tif 000013